(57)【要約】【課題】容器内に熱湯を注いでから蓋を被せた後、蓋体の突片部と容器の平面状凸縁部の係合溝とを係合することにより蓋体と平面状凸縁部との密着度を向上させ、容器内部の熱雰囲気が逃げることを防ぐことができるインスタント食品用容器セットの構造を提供する。【解決手段】インスタント食品用容器セットの構造は、容器２及び蓋体３を備える。容器２は、頂面に開口端２４が設けられ、開口端２４の側部に位置する容器２の周縁には、係合溝２５１を有する平面状凸縁部２５が外側に向かって延設されている。蓋体３は、プレート状であり、容器２の開口端２４に被せ、蓋体３の周縁には、係合溝２５１に対応した箇所に、下方に折り曲げることが可能な突片部３４が設けられている。容器２は第１の材料により一体成形され、第１の材料は発泡樹脂材料である。【選択図】図３
2012020789.tif 000002
【特許請求の範囲】
【請求項１】
容器及び蓋体を備えるインスタント食品用容器セットの構造であって、
前記容器は、頂面に開口端が設けられ、前記開口端の側部に位置する前記容器の周縁には、係合溝を有する平面状凸縁部が外側に向かって延設され、
前記蓋体は、プレート状であり、前記容器の前記開口端に被せ、前記蓋体の周縁には、前記係合溝に対応した箇所に、下方に折り曲げることが可能な突片部が設けられていることを特徴とするインスタント食品用容器セットの構造。
【請求項２】
前記容器は、第１の材料により一体成形され、
前記第１の材料は発泡樹脂材料であることを特徴とする請求項１に記載のインスタント食品用容器セットの構造。
【請求項３】
前記容器から前記開口端にかけて第１の材料により成型され、
前記平面状凸縁部は、第２の材料により成型されることを特徴とする請求項１に記載のインスタント食品用容器セットの構造。
【請求項４】
前記第１の材料は紙材料であり、
前記第２の材料はプラスチック材料であることを特徴とする請求項３に記載のインスタント食品用容器セットの構造。
【請求項５】
前記平面状凸縁部は、前記第１の材料の頂面の内側縁部、外側縁部及び頂端を前記第２の材料で被覆して形成されることを特徴とする請求項３に記載のインスタント食品用容器セットの構造。
【請求項６】
前記蓋体は、アルミニウム箔本体と、前記アルミニウム箔本体の底側及び頂側のそれぞれを覆うフィルムと、を有することを特徴とする請求項１に記載のインスタント食品用容器セットの構造。
【発明の詳細な説明】
【技術分野】
【０００１】
本発明は、インスタント食品用容器セットの構造に関し、特に、容器の開口端に蓋体を再び被せて平面状凸縁部との間の密着度を高め、容器内に注がれた高温の液体の熱雰囲気が逃げることを防ぐ容器セットの構造に関する。
【背景技術】
【０００２】
食物は人々の生活にとって必要であり、食べるためには調理する必要がある。科学技術の発展に伴い、食品を調理してから乾燥させ、調理する際に熱湯を加えて食品を加熱するだけで、何時でも何処でも誰でも簡単に調理して食べることができる食品が開発された。この食品には、例えば、現在市販されているインスタントヌードル、インスタントスープ、インスタント飲料などが含まれる。
【０００３】
従来のインスタント食品は、熱湯で簡単に調理できるように、食品が入れられた容器に蓋体が被せられている。図１に示すように、従来のインスタント食品の容器セット５は、容器６及び蓋体７を含む。この容器６内に食品を置き、容器６の開口端６１の側部に位置する容器周縁部には、外側に向かって凸縁６２が延設されている。容器６の開口端６１には、周縁部に突片７１を有する蓋体７が被せられ、蓋体７の底面周縁部を容器の凸縁６２に接着させ、容器を密封して容器内にある食物が汚染されることを防ぐ。
【０００４】
調理する際、まず、蓋体７の突片７１を剥がし、凸縁６２から蓋体７を剥がして熱湯を注いだ後、容器６の開口端６１に再び蓋体７を被せ、凸縁６２の下側に突片７１を折り曲げても、突片７１と凸縁６２との間が結合されていないため、蓋体を閉めた後でも、蓋体７と凸縁６２との間に空隙が形成され、容器６内に発生する熱雰囲気の圧力が強まって空隙が広がり（図２参照）、蓋体の周縁部が浮き上がって中央部分が凹むことがある。そして、蓋体の中央部が凹むほど、蓋体の周縁部の変形量が大きくなって空隙が大きくなるため、容器６内の熱雰囲気が空隙から逃げ、食物の加熱速度又は溶解速度が遅くなって容器内の温度が下がることがある。
【発明の概要】
【発明が解決しようとする課題】
【０００５】
本発明の目的は、容器内に熱湯を注いでから再び蓋を被せた後、蓋体の突片部と容器の平面状凸縁部の係合溝とを係合させることにより、蓋体と平面状凸縁部との密着度を向上させ、容器内部の熱雰囲気が逃げることを防ぐことができるインスタント食品用容器セットの構造を提供することにある。
【課題を解決するための手段】
【０００６】
上記課題を解決するために、本発明の第１の形態によれば、容器及び蓋体を備えるインスタント食品用容器セットの構造であって、前記容器は、頂面に開口端が設けられ、前記開口端の側部に位置する前記容器の周縁には、係合溝を有する平面状凸縁部が外側に向かって延設され、前記蓋体は、プレート状であり、前記容器の前記開口端に被せ、前記蓋体の周縁には、前記係合溝に対応した箇所に、下方に折り曲げることが可能な突片部が設けられていることを特徴とするインスタント食品用容器セットの構造が提供される。
【０００７】
前記容器は、第１の材料により一体成形され、前記第１の材料は発泡樹脂材料であることが好ましい。
【０００８】
前記容器から前記開口端にかけて第１の材料により成型され、前記平面状凸縁部は、第２の材料により成型されることが好ましい。
【０００９】
前記第１の材料は紙材料であり、前記第２の材料はプラスチック材料であることが好ましい。
【００１０】
前記平面状凸縁部は、前記第１の材料の頂面の内側縁部、外側縁部及び頂端を前記第２の材料で被覆して形成されることが好ましい。
【００１１】
前記蓋体は、アルミニウム箔本体と、前記アルミニウム箔本体の底側及び頂側のそれぞれを覆うフィルムと、を有することが好ましい。
【発明の効果】
【００１２】
本発明のインスタント食品用容器セットの構造は、容器内に熱湯を注いでから蓋を被せた後、蓋体の突片部と容器の平面状凸縁部の係合溝とを係合し、蓋体と平面状凸縁部との密着度を向上し、容器内部の熱雰囲気が逃げることを防ぐことができる。
【図面の簡単な説明】
【００１３】
【図１】従来のインスタント食品用容器セットの蓋体を閉じたときの状態を示す断面図である。
【図２】従来のインスタント食品用容器セットの蓋体を閉じたときの状態を示す断面図である。
【図３】本発明の一実施形態によるインスタント食品用容器セットを示す斜視図である。
【図４】本発明の一実施形態によるインスタント食品用容器セットの蓋体を再び閉じたときの状態を示す断面図である。
【図５】本発明の他の実施形態によるインスタント食品用容器セットを示す断面図である。
【図６】本発明の他の実施形態によるインスタント食品用容器セットを使用するときの状態を示す断面図である。
【発明を実施するための形態】
【００１４】
以下、本発明の実施形態について図に基づいて説明する。なお、これによって本発明が限定されるものではない。
【００１５】
図３を参照する。図３に示すように、本発明の一実施形態によるインスタント食品用容器セットの構造の容器セット１は、少なくとも容器２及び蓋体３から構成される。容器２は、底板２１及び側板２２により取り囲むように形成される。容器２内には、配置空間２３が設けられる。取り囲むように形成された容器２の形状は、例えば、立方体又は円錐台形体であるが、これらだけに限定されるわけではない。容器２は、例えば、発泡ポリスチレンなどの発泡樹脂からなってもよい。容器２の頂面には、開口端２４が形成されている。この開口端２４の側部に位置する容器２の周縁部には、側板２２が外側に延設された平面状凸縁部２５を有する。平面状凸縁部２５には、係合溝２５１が設けられている。蓋体３は、プレート状であり、アルミニウム箔からなってもよい。アルミニウム箔本体３１は、底側がフィルム３２により被覆され、頂側がフィルム３３により被覆されている。蓋体３の周縁部には、下向きに折り曲げることが可能な突片部３４が設けられている。この突片部３４は、本実施形態では２つである。突片部３４の位置は、容器２の係合溝２５１に対応する。
【００１６】
容器２内に食品を入れた後、製造メーカは、容器２の開口端２４の平面状凸縁部２５上に蓋体３を接着させ、容器２の開口端２４を密封することにより、容器２内にある食品が汚染することを防ぐことができる。蓋体３の底側は、フィルム３２により被覆され、高周波方式、加熱方式などにより、フィルム３２と容器２の開口端２４の平面状凸縁部２５とが接着され、開口端２４の密封工程が完了する。
【００１７】
図４を参照する。図４に示すように、実際に調理する際は、蓋体３を開いて容器２内に熱湯などの液体を注ぐと、蓋体３と平面状凸縁部２５との接着部分がすでに外れているため、容器２の開口端２４上に再び蓋体３を被せてから、蓋体３の突片部３４を下向きに折り曲げ、対応した箇所に設けられた係合溝２５１に係合され、蓋体３と、開口端２４の平面状凸縁部２５との間の密着度を高めることができるとともに、突片部３４が下向きに折り曲げられて平面状凸縁部２５の下方に位置して密着度が高まるため、容器２内の熱雰囲気が逃げることを防ぐことができる。そのため、この熱雰囲気により内部を加熱したり、食品を溶解させる速度を上げることができる。
【００１８】
図５及び図６を参照する。図５及び図６に示すように、本発明の他の実施形態によるインスタント食品用容器セットの構造の平面状凸縁部２５は、開口端２４の側部に位置する容器２の周縁部に延設されておらず、側板２２から外側に向かって一体に延設され（即ち、容器２から開口端２４にかけ、紙材料である第１の材料により成型される）、開口端２４の側部に位置する容器２の側板２２の内側縁部２２１及び外側縁部２２２それぞれがフィルム４により被覆され、これら２つのフィルム４の外側及び側板２２の頂端２２３が第２の材料により被覆され、外側に延伸されて平面状凸縁部２６が形成される。この第２の材料は、プラスチックなどの可塑性材料を成型・硬化した材料であり、平面状凸縁部２６に係合溝２６１が設けられている。
【００１９】
上述したことから分かるように、本発明のインスタント食品用容器セットの構造は、調理する際、熱湯などの液体を容器内に入れてから、蓋体の突片部を下向きに折り曲げて容器の平面状凸縁部の係合溝中に係合させると、蓋体と開口端の平面状凸縁部との間の密着度を高めることができるため、熱雰囲気が逃げることを防ぎ、容器内にある食品を加熱したり溶解させたりすることができる。
【００２０】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２１】
１      容器セット
２      容器
３      蓋体
４      フィルム
５      容器セット
６      容器
７      蓋体
２１    底板
２２    側板
２３    配置空間
２４    開口端
２５    平面状凸縁部
２６    平面状凸縁部
３１    アルミニウム箔本体
３２    フィルム
３３    フィルム
３４    突片部
６１    開口端
６２    凸縁
７１    突片
２２１  内側縁部
２２２  外側縁部
２２３  頂端
２５１  係合溝
２６１  係合溝
【図１】
2012020789.tif 000003
【図２】
2012020789.tif 000004
【図３】
2012020789.tif 000005
【図４】
2012020789.tif 000006
【図５】
2012020789.tif 000007
【図６】
2012020789.tif 000008